(57)【要約】【課題】衣類の着用者に対する不快感を軽減するコーナ部を有するプリントネームの基布を提供すること。【解決手段】プリントネーム用の合成繊維製の基布（１０）であって、超音波溶断により形成された少なくとも１つの角丸のコーナ部（１２）を有する。【選択図】図１
0003103340.tif 000002
【実用新案登録請求の範囲】
【請求項１】
プリントネーム用の合成繊維製の基布であって、超音波溶断により形成された少なくとも１つの角丸のコーナ部を有する、基布。
【請求項２】
本体と、該本体に連なりかつ該本体と重なり合う、互いに相対する一対のフラップとを含み、前記本体と少なくとも１つのフラップとが共同して前記角丸のコーナ部を規定する、請求項１に記載の基布。
【請求項３】
本体と、該本体に連なりかつ該本体と重なり合う二対のフラップであって互いに隣接する２つのフラップが互いに重なり合う端部を有する二対のフラップとを含み、前記本体と互いに隣接する２つのフラップの端部とが共同して前記角丸のコーナ部を規定する、請求項１に記載の基布。
【請求項４】
互いに連なりかつ互いに重なり合う一半部及び他半部とを含み、前記一半部及び前記他半部がこれらの連続する端部において前記角丸のコーナ部を規定する、請求項１に記載の基布。
【考案の詳細な説明】
【技術分野】
【０００１】
本考案は、衣類に取り付けられ、その品質や洗濯方法を表示するプリントネームの前記表示が付される合成繊維製の基布に関する。
【背景技術】
【０００２】
衣類に取り付けられるプリントネームにおいて、品質や洗濯方法の表示が付される基布に角があると、これが衣類の着用者の肌に当たり、着用者は不快感を覚える。従来、これを解消するため、前記角を丸くしてなる角丸のコーナ部を有する基布が用いられている。
【０００３】
ところで、前記角丸のコーナ部は前記合成繊維製の布を加熱溶断することにより形成されているが、前記コーナ部は熱溶融後に冷えて固化した部分を有し、この固化部分が衣類の着用者に不快感を与える原因となっていた。
【考案の開示】
【考案が解決しようとする課題】
【０００４】
本考案の目的は、衣類の着用者に対する不快感を軽減するコーナ部を有するプリントネームの基布を提供することにある。
【課題を解決するための手段】
【０００５】
本考案は、プリントネーム用の合成繊維製の基布であって、超音波溶断により形成された少なくとも１つの角丸のコーナ部を有する。
【０００６】
前記基布は、本体と、該本体に連なりかつ該本体と重なり合う、互いに相対する一対のフラップとを含み、前記本体と少なくとも１つのフラップとが共同して前記角丸のコーナ部を規定するもの、本体と、該本体に連なりかつ該本体と重なり合う二対のフラップであって互いに隣接する２つのフラップが互いに重なり合う端部を有する二対のフラップとを含み、前記本体と互いに隣接する２つのフラップの端部とが共同して前記角丸のコーナ部を規定するもの、あるいは互いに連なりかつ互いに重なり合う一半部及び他半部とを含み、前記一半部及び前記他半部がこれらの連続する端部において前記角丸のコーナ部を規定するものであってもよい。
【考案の効果】
【０００７】
本考案によれば、超音波溶断により形成した基布の角丸のコーナ部は、加熱溶断により形成したものと異なり、前記角丸の縁辺が柔らかい。このため、本考案の基布に品質や洗濯方法の表示をしてなるプリントネームは、これを取り付けた衣類の着用者に対し不快感を大幅に軽減する。
【０００８】
前記角丸のコーナ部は、前記したような種々の形態の基布又はプリントネームに適用することができる。
【考案を実施するための最良の形態】
【０００９】
図１を参照すると、衣類に取り付けられその品質や洗濯方法の表示を付されるプリントネーム用の基布が全体に符号１０で示されている。
【００１０】
基布１０は、ポリエステル、アセテート、ナイロンのような合成繊維製の織物からなり、超音波溶断により形成された少なくとも１つ（図示の例では４つ）の角丸のコーナ部１２を有する。
【００１１】
図示の基布１０は、全体に矩形状の本体１４と、該本体に連なりかつ該本体と重なり合う、互いに相対する、全体に細長い矩形状の一対のフラップ１６とを含む。
【００１２】
この例では、角丸の各コーナ部１２は、本体１４と各フラップ１６とが共同して規定している。より詳細には、本体１４についての各隅と、該隅と相対する各フラップ１６の隅とが角丸のコーナ部１２をなし、本体１４の前記隅とこれに相対する各フラップ１６の前記隅とは、これらの周縁において前記超音波溶断により互いに接合され、これらの周縁は、これに触れたとき、比較的柔らかい感触を与える。したがって、コーナ部１２の数を１とするよりも２以上とすることが、衣類の着用時におけるプリントネームによる不快感をより軽減することに寄与する。
【００１３】
図示の基布１２にあっては、その表面（フラップ１６が接していない面）に印刷機やプリンタを用いて前記表示が付される。このような表示が付されてなるプリントネームは、基布１０の各フラップ１６をその表面から本体１４を通して前記衣類に縫いつけることにより取り付けられ又は付される。したがって、各フラップ１６は、プリントネームの縫い代を規定するものということができる。
【００１４】
図２に示すように、基布１０は、比較的長い織物１８の両側部２０を折り返した後、これを横断する方向に向けて刃物１８を載せ、該刃物に超音波振動を付与することにより得ることができる。
【００１５】
図示の刃物２２は、全体にブロック状を呈し、その底面に１の直線状に伸びる刃部２４と、該刃部の各端部から互いに分かれて伸びる一対の円弧状の刃部２６とを有する。刃物２２は、超音波溶断機のホーン（図示せず）の先端部に取り付けられる。前記ホーンには振動子（図示せず）を介して発振機（図示せず）から、前記織物の厚さや種類に応じて１０〜７０ＫＨｚの振動が付与される。その結果、刃物に２２に接しかつ該刃物の押圧を受ける織物１８が刃物２２の形状通りに溶断される。図２に、このときの溶断線を想像線２８で示す。
【００１６】
図４に示すように、前記プリントネームの基布１０は、さらにもう一対のフラップ３０を有するものであってもよい。すなわち、この基布１０は、本体１４と、該本体に連なりかつ該本体と重なり合う二対のフラップ１６，３０を含む。この基布１０にあっては、互いに隣接する２つのフラップ１６，３０が互いに重なり合う端部３２，３４を有し、本体１４と互いに隣接する２つのフラップの端部３２，３４とが共同して角丸のコーナ部１２を規定している。
【００１７】
また、図５に示すように、他の例の基布１０として、互いに連なりかつ互いに重なり合う一半部３６及び他半部３８とを含み、一半部３６及び他半部３８の連続する端部４０において角丸のコーナ部１２を規定するものであってもよい。この例の基布１０は、一半部３６及び他半部３８の双方の他方の端部４２において、前記衣類に縫い付けられる。
【００１８】
前記プリントネームの基布は、また、例えば矩形の平面形状を有する一枚布からなり、その４つの隅の一部又は全部が前記角丸のコーナ部からなるものであってもよい。
【００１９】
さらに、前記プリントネームの基布は、図示の例のように、一般的には全体に矩形の平面形状を有するが、三角形、五角形等の他の平面形状を有するものであってもよい。
【図面の簡単な説明】
【００２０】
【図１】本考案に係る基布の一例の斜視図である。
【図２】図１に示す基布を得るための細長い織布を示す斜視図である。
【図３】基布の角丸のコーナ部を形成するために用いられる刃の斜視図である。
【図４】基布の他の例の平面図である。
【図５】基布のさらに他の例の斜視図である。
【符号の説明】
【００２１】
１０  基布
１２  角丸のコーナ部
１４  本体
１６，３０  フラップ
【図１】
0003103340.tif 000003
【図２】
0003103340.tif 000004
【図３】
0003103340.tif 000005
【図４】
0003103340.tif 000006
【図５】
0003103340.tif 000007